(57)【特許請求の範囲】
【請求項１】
積層フィルムに設けられるシール層同士を固着して密封されるとともに内部に形成される収納空間に内容物を収納する包装袋と、板紙により筒状に形成されるとともに左右端に設けた上下に延びる一対の折曲部で折曲される外装体とを備え、前記外装体に挿通された前記包装袋の外面と前記外装体の内面とを接着部により接着した複合容器において、
前記包装袋が前後の一面から突設されるウィング部を有するとともに、前記ウィング部が前記シール層の固着により前記収納空間と隔離される隔離部内に蒸通孔を開口し、前記外装体が前記折曲部を挟んで前面及び背面に上下に延びて形成された第１折り線及び第２折り線を含む一対の押込部を有するとともに、前記押込部を内方向に押し込むことにより前記外装体の前面及び背面が湾曲して前記外装体が自立可能な状態に変形し、
前記包装袋の前面の前記積層フィルムの下端と背面の前記積層フィルムの下端とが直接固着され、前記包装袋の底部の左右端に下方が左右方向の中央に向かって傾斜する傾斜部を設け、前記接着部の下端が前記傾斜部の上端よりも上方に配されることを特徴とする複合容器。
【請求項２】
積層フィルムに設けられるシール層同士を固着して密封されるとともに内部に形成される収納空間に内容物を収納する包装袋と、板紙により筒状に形成されるとともに左右端に設けた上下に延びる一対の折曲部で折曲される外装体とを備え、前記外装体に挿通された前記包装袋の外面と前記外装体の内面とを接着部により接着した複合容器において、
前記包装袋が前後の一面から突設されるウィング部を有するとともに、前記ウィング部が前記シール層の固着により前記収納空間と隔離される隔離部内に蒸通孔を開口し、前記外装体が前記折曲部を挟んで前面及び背面に上下に延びて形成された第１折り線及び第２折り線を含む一対の押込部を有するとともに、前記押込部を内方向に押し込むことにより前記外装体の前面及び背面が湾曲して前記外装体が自立可能な状態に変形し、
前記包装袋の前面の前記積層フィルムの下端と背面の前記積層フィルムの下端とが直接固着され、前記包装袋の前面及び背面で前記接着部の下端の高さが異なることを特徴とする複合容器。
【請求項３】
前記外装体が板紙の周方向の両端を重ねて接着される合着部を有し、前記包装袋の前記ウィング部を設けた面の反対面に面して前記合着部を配したことを特徴とする請求項１または請求項２に記載の複合容器。
【請求項４】
前記外装体の上端が左右方向の両端に対して中央部を下方に配されることを特徴とする請求項１〜請求項３のいずれかに記載の複合容器。
【請求項５】
前記包装袋が左右の端部に切り裂き用のノッチを有し、前記ノッチが前記ウィング部と前記外装体との間に配されることを特徴とする請求項１〜請求項４のいずれかに記載の複合容器。
【発明の詳細な説明】
【技術分野】
【０００１】
本発明は、内容物を収納する包装袋を筒状の外装体により覆う複合容器に関する。
【背景技術】
【０００２】
食品等の粉体や粒体の内容物を収納する複合容器は特許文献１に開示される。複合容器は内容物を収納する包装袋と、板紙により筒状に形成される外装体とを備え、外装体に挿通された包装袋の外面と外装体の内面とを接着している。包装袋は積層フィルムに設けられるシール層同士を熱溶着により固着して密封される。包装袋の上部の左右の一端には切り裂き用のノッチが設けられる。外装体は左右端に設けた上下に延びる一対の折曲部で折曲される。また、外装体の左右端には一対の押込部が設けられる。押込部は折曲部を対称軸として前面側及び背面側に設けた曲線の折り線を有している。
【０００３】
上記構成の複合容器において、ユーザは喫食時にノッチから包装袋を開封する。次に、押込部を内方向に押し込むことにより、外装体の前面及び背面が湾曲して外装体を自立可能な状態に変形させる。この状態を保持して複合容器を電子レンジ内に自立させて加熱する。そして、複合容器が自立した状態で内容物が喫食される。
【先行技術文献】
【特許文献】
【０００４】
【特許文献１】特開２０１１−１７３６４０号公報
【発明の概要】
【発明が解決しようとする課題】
【０００５】
しかしながら、上記従来の複合容器によると、自立させて電子レンジ内に収納して加熱するため、電子レンジの高さ制限により加熱できない場合がある。従って、複合容器の利便性が悪い問題があった。
【０００６】
本発明は、利便性を向上できる複合容器を提供することを目的とする。
【課題を解決するための手段】
【０００７】
上記目的を達成するために本発明は、積層フィルムに設けられるシール層同士を固着して密封されるとともに内部に形成される収納空間に内容物を収納する包装袋と、板紙により筒状に形成されるとともに左右端に設けた上下に延びる一対の折曲部で折曲される外装体とを備え、前記外装体に挿通された前記包装袋の外面と前記外装体の内面とを接着部により接着した複合容器において、前記包装袋が前後の一面から突設されるウィング部を有するとともに、前記ウィング部が前記シール層の固着により前記収納空間と隔離される隔離部内に蒸通孔を開口し、前記外装体が前記折曲部を挟んで前面及び背面に上下に延びて形成された第１折り線及び第２折り線を含む一対の押込部を有するとともに、前記押込部を内方向に押し込むことにより前記外装体の前面及び背面が湾曲して前記外装体が自立可能な状態に変形することを特徴とする。
【０００８】
また本発明は、上記構成の複合容器において、前記外装体が板紙の周方向の両端を重ねて接着される合着部を有し、前記包装袋の前記ウィング部を設けた面の反対面に面して前記合着部を配したことを特徴とする。
【０００９】
また本発明は、上記構成の複合容器において、前記包装袋の前面の前記積層フィルムの下端と背面の前記積層フィルムの下端とが直接固着され、前記包装袋の底部の左右端に下方が左右方向の中央に向かって傾斜する傾斜部を設けたことを特徴とする。
【００１０】
また本発明は、上記構成の複合容器において、前記接着部の下端が前記傾斜部の上端よりも上方に配されることを特徴とする。
【００１１】
また本発明は、上記構成の複合容器において、前記包装袋の前面の前記積層フィルムの下端と背面の前記積層フィルムの下端とが直接固着され、前記包装袋の前面及び背面で前記接着部の下端の高さが異なることを特徴とする。
【００１２】
また本発明は、上記構成の複合容器において、前記外装体の上端が左右方向の両端に対して中央部を下方に配されることを特徴とする。
【００１３】
また本発明は、上記構成の複合容器において、前記包装袋が左右の端部に切り裂き用のノッチを有し、前記ノッチが前記ウィング部と前記外装体との間に配されることを特徴とする。
【発明の効果】
【００１４】
本発明によると、ウィング部が収納空間と隔離される隔離部内に蒸通孔を開口し、押込部を内方向に押し込むことにより外装体の前面及び背面が湾曲して外装体が自立可能な状態に変形する。これにより、電子レンジにより複合容器１を加熱すると蒸通孔から蒸気が流出するため、複合容器を寝かせて加熱することができる。また、外装体の変形により複合容器を自立させて内容物を喫食することができる。従って、電子レンジの高さ制限を受けずに複合容器を加熱して喫食することができ、複合容器の利便性を向上することができる。
【図面の簡単な説明】
【００１５】
【図１】本発明の第１実施形態の複合容器を示す正面図
【図２】図１のＡ−Ａ断面図
【図３】本発明の第１実施形態の包装袋を示す分解斜視図
【図４】本発明の第１実施形態の積層フィルムを示す側面断面図
【図５】本発明の第１実施形態の外装体を示す展開図
【図６】本発明の第１実施形態の複合容器の喫食状態を示す斜視図
【図７】本発明の第２実施形態の包装袋を示す正面図
【発明を実施するための形態】
【００１６】
＜第１実施形態＞
以下に図面を参照して本発明の実施形態を説明する。図１は第１実施形態の複合容器１の正面図を示しており、図２はＡ−Ａ断面図を示している。複合容器１は包装袋２及び外装体２０を備えている。包装袋２は筒状の外装体２０に挿通され、接着部４０により外装体２０に接着されている。
【００１７】
図３は包装袋２の分解斜視図を示している。包装袋２は四方シールの平パウチから成り、軟質樹脂フィルムの積層フィルム３、４、５により形成されている。包装袋２の背面には積層フィルム５が配され、前面には積層フィルム３、４が配される。尚、複合容器１の前後方向の一面を前面と称して他面を背面と称するが、前面と背面とを入れ替えても同じである。
【００１８】
積層フィルム３の上端部及び積層フィルム４の下端部はそれぞれ前方に折曲して互いに熱溶着部２ｃにより固着され、ウィング部１１を形成する。積層フィルム３の下端部及び両側端部は熱接着部２ａによって積層フィルム５の周部に直接固着される。積層フィルム４の上端部及び両側端部は熱接着部２ｂによって積層フィルム５の周部に直接固着される。
【００１９】
これにより、包装袋２は内部に内容物Ｎを収納する収納空間８（図２参照）を形成して密封され、包装袋２の前面にはウィング部１１が突設される。尚、包装袋２の製造時には一辺を開放して周部を熱接着部２ａ、２ｂにより固着し、内容物Ｎを投入した後に開放状態の一辺が固着される。
【００２０】
図４は積層フィルム３の側面断面図を示している。積層フィルム４、５も積層フィルム３と同様に形成される。積層フィルム３はシール層３ｂ及び基材層３ｃを積層して形成される。
【００２１】
シール層３ｂは一般に電子レンジで加熱又は加熱調理される食品包材として使用されているものを使用することができる。具体的には、低密度ポリエチレンフィルム、超低密度ポリエチレンフィルム、直鎖状低密度ポリエチレンフィルム、中密度ポリエチレンフィルム、高密度ポリエチレンフィルム、無延伸ポリプロピレンフィルム、エチレンー酢酸ビニル共重合体フィルム、エチレンーアクリル酸共重合体フィルム、エチレンーメタクリル酸共重合体フィルム、エチレンーメチルアクリレート共重合体フィルム、エチレンーエチルアクリレート共重合体フィルム、エチレンーメチルメタクリレート共重合体フィルムまたはアイオノマーフィルム等を使用できる。
【００２２】
基材層３ｃはシール層３ｂよりも外側に設けられ、電子レンジで加熱又は加熱調理される食品用包材として使用されているものを使用することができる。例えば、延伸ポリエチレンテレフタレートフィルム、シリカ蒸着ポリエチレンテレフタレートフィルム、アルミナ蒸着ポリエチレンテレフタレートフィルム、延伸ナイロンフィルム、シリカ蒸着延伸ナイロンフィルム、アルミナ蒸着延伸ナイロンフィルム、延伸ポリプロピレンフィルム、ポリビニルアルコールコート延伸ポリプロピレンフィルム、ナイロン６／メタキシレンジアミンナイロン６共押共延伸フィルムまたはポリプロピレン／エチレンービニルアルコール共重合体共押共延伸フィルム等を使用できる。
【００２３】
図１、図２において、包装袋２には前面に突設されるウィング部１１と外装体２０との間の両端部に包装袋２を切り裂くための切欠きから成るノッチ１０が設けられている。ウィング部１１には熱接着部２ｃによって収納空間８と隔離される隔離部６ａ、６ｂが形成される。
【００２４】
隔離部６ａは左右方向の中央部に設けられ、積層フィルム３、４を貫通するＣ字状の切り込みから成る蒸通孔７ａが形成される。隔離部６ｂは隔離部６ａの左右に連通部１１ａを介してそれぞれ設けられ、積層フィルム３、４を貫通するＩ字状の切り込みから成る蒸通孔７ｂが形成される。連通部１１ａは収納空間８と連通して形成される。
【００２５】
複合容器１を電子レンジにより加熱した際に包装袋２の膨張によって隔離部６ａ、６ｂの周囲の熱接着部２ｃが剥がれ、蒸通孔７ａ、７ｂを介して蒸通する。蒸通孔７ａ、７ｂを貫通穴により形成してもよい。
【００２６】
図５は外装体２０の展開図を示している。板紙から成る外装体２０の外面上には印刷により商品名や内容物等を示す文字や絵柄の印刷層（不図示）が形成される。外装体２０は前面を形成する前面部２０ａの両側方に背面を形成する背面部２０ｂ、２０ｃが折り線から成る折曲部２１を介して隣接する。一方の背面部２０ｃの側端には糊代２９（図中、クロスハッチングで示す）が設けられる。外装体２０の周方向の両端を糊代２９で接着することにより、背面部２０ｂ、２０ｃが重ね合わされた合着部２７を形成して外装体２０が筒状に形成される。
【００２７】
前面部２０ａの上端は左右方向の両端に対して中央部を下方に配した曲線状に形成される。背面部２０ｂ、２０ｃの上端も同様に、筒状に形成した状態で外装体２０の背面上で左右方向の両端に対して中央部を下方に配した曲線状に形成される。また、前面部２０ａの底部の左右端には下方が左右方向の中央に向かって傾斜する傾斜部９が設けられている。背面部２０ｂの底部の右端及び背面部２０ｃの底面の左端にも同様の傾斜部９が設けられている。
【００２８】
一対の折曲部２１上にはそれぞれ押込部２４が設けられる。押込部２４は折り線２２、折り線２３、スリット２８ａ、スリット２８ｂにより形成される。折り線２２（第１折り線）と折り線２３（第２折り線）とは折曲部２１を挟み、上下方向に延びて形成される。また、折り線２２及び折り線２３は上下方向の中央部に対して上方及び下方が左右方向の外側（折曲部２１の方向）に向かって傾斜した曲線状に形成される。本実施形態では折り線２２と折り線２３とが折曲部２１を対称線として形成されるが、折曲部２１を挟んで設けられていれば非対称でもよい。
【００２９】
折り線２２の上端と折り線２３の上端とはスリット２８ａにより連結され、折り線２２の下端と折り線２３の下端とはスリット２８ｂにより連結される。スリット２８ａ及びスリット２８ｂは下に凸の曲線状に形成される。
【００３０】
下方のスリット２８ｂの両端には外装体２０の下端まで傾斜して延びる折り線２５及び折り線２６が設けられる。折り線２５及び折り線２６の下端は傾斜部９の下端に連結される。
【００３１】
尚、スリット２８ａを省き、折り線２２の上端と折り線２３の上端とを外装体２０の上端により連結してもよい。また、スリット２８ｂ、折り線２５及び折り線２６を省き、折り線２２の下端と折り線２３の下端とを外装体２０の下端により連結してもよい。
【００３２】
また、前面部２０ａ及び背面部２０ｂ、２０ｃには接着剤の塗布により包装袋２（図２参照）に固着される接着部４０が形成される。接着部４０は接着剤を線状に塗布した複数の塗布部４０ａ、４０ｂ、４０ｃから成っている。塗布部４０ａ、４０ｂは上下に延びて形成され、塗布部４０ｃは左右方向に延びて形成される。塗布部４０ａは筒状の外装体２０の前面側及び背面側の中央部の内面に配される。塗布部４０ｂは塗布部４０ａの両側方にそれぞれ配される。包装袋２の前面部２０ａ及び背面２０ｂ、２０ｃで接着部４０ａ、４０ｂの下端の高さがそれぞれ異なっている。即ち、前面部２０ａの接着部４０ａ、４０ｂの下端の高さは背面部２０ｂの接着部４０ａ、４０ｂの下端の高さよりも高く形成されている。これにより、包装袋２の底部の内容物Ｎをより容易に取り出すことができる。なお、前面部２０ａ及び背面２０ｂ、２０ｃで接着部４０ａ、４０ｂの下端の高さを同じにしてもよい。
【００３３】
複合容器１の形成時には、内容物Ｎを収納した包装袋２の前面（ウィング部１１の形成面）が外装体２０の前面部２０ａの内面上に設置され、接着部４０により接着される。次に外装体２０を折曲部２１で折曲して合着部２７で接着するとともに、包装袋２の背面が接着部４０により背面部２０ｂ、２０ｃに接着される。
【００３４】
外装体２０には美観低下を回避するために、合着部２７が形成されない前面部２０ａに商品名等が印刷される。このため、ユーザが前面部２０ａを商品の前面側と認識し、前面側にウィング部１１が配置される。尚、外装体２０にはウィング部１１を上面に配してレンジ加熱する指示が印刷されている。
【００３５】
上記構成の複合容器１において、内容物Ｎを喫食するために複合容器１はウィング部１１を上方に向けて寝かせた状態で電子レンジ内に設置され、電子レンジにより加熱される。この時、ユーザは前面側と認識した面を通常上面に配置するため、ウィング部１１を下方に向けた誤配置を防止することができる。
【００３６】
電子レンジにより複合容器１が加熱されると包装袋２が膨張する。この時、外装体２０の前面及び背面は膨張する包装袋２に沿って外側に向けて湾曲する。包装袋２の膨張によって隔離部６ａ、６ｂの周囲の熱接着部２ｃは剥離後退する。熱接着部２ｃの剥離によって隔離部６ａまたは隔離部６ｂと収納空間８とが連通すると、包装袋２内の蒸気が蒸通孔７ａまたは蒸通孔７ｂを介して流出する。これにより、包装袋２の破裂を防止して内容物Ｎを加熱することができる。
【００３７】
通常は、包装袋２の中央部に近い隔離部６ａが隔離部６ｂよりも早く収納空間８と連通するため、蒸気の流出によって隔離部６ｂと収納空間８とは連通しない。しかし、隔離部６ａの周囲の熱接着部２ｃの剥離が進行しない場合に、隔離部６ｂと収納空間８とが連通して蒸気が流出する。これにより、包装袋２の破裂を確実に防止することができる。
【００３８】
また、外装体２０の合着部２７を配した背面は前面よりも強度が高くなるため、外装体２０の前面が背面よりも湾曲し易くなる。このため、包装袋２の前面が外装体２０によって妨げられずに容易に膨張し、ウィング部１１に設けた隔離部６ａ、６ｂの周囲の熱接着部２ｃを確実に剥離させることができる。加えて、外装体２０の上端が左右方向の両端に対して中央部を下方に配されているため、包装袋２を外装体２０に妨げられずに更に容易に膨張させることができる。
【００３９】
複合容器１の加熱が終了すると、図６に示すように、包装袋２のノッチ１０を切り裂いて包装袋２を開封する。そして、押込部２４を手指で内方向に押圧すると、外装体２０の前面及び背面が湾曲して外装体２０が自立可能な状態に変形する。これにより、複合容器１を自立させた状態で内容物Ｎを取り出して喫食することができる。
【００４０】
この時、外装体２０の上端が左右方向の中央部に対して両端を上方に配されているため、喫食時に複合容器１を安定して立設することができる。また、外装体２０の底部の両側部が折り線２５、２６によって前後に広げられる。これにより、複合容器１をより安定して立設することができる。
【００４１】
また、ノッチ１０がウィング部１１と外装体２０の上端との間に配されるため、ノッチ１０で切り裂いた開口面２ｄと包装袋２の底面との距離が短くなる。これにより、内容物Ｎを容易に取り出すことができる。
【００４２】
本実施形態によると、ウィング部１１が収納空間８と隔離される隔離部６ａ、６ｂ内に蒸通孔７ａ、７ｂを開口し、押込部２４を内方向に押し込むことにより外装体２０の前面及び背面が湾曲して外装体２０が自立可能な状態に変形する。これにより、電子レンジにより複合容器１を加熱すると蒸通孔７ａ、７ｂから蒸気が流出するため、複合容器１を寝かせて加熱することができる。また、外装体２０の変形により複合容器１を自立させて内容物Ｎを喫食することができる。従って、電子レンジの高さ制限を受けずに複合容器１を加熱して喫食することができ、複合容器１の利便性を向上することができる。
【００４３】
また、外装体２０が板紙の周方向の両端を重ねて接着される合着部２７を有し、包装袋２のウィング部１１を設けた面（前面）の反対面（背面）に面して合着部２７を配した。これにより、包装袋２のウィング部１１を配した前面が加熱により容易に膨張し、ウィング部１１に設けた隔離部６ａ、６ｂの周囲の熱接着部２ｃを確実に剥離させることができる。
【００４４】
また、外装体２０の上端が左右方向の両端に対して中央部を下方に配される。これにより、複合容器１の加熱時に包装袋２を容易に膨張させることができるとともに喫食事に安定して立設できる。
【００４５】
また、包装袋２の左右の端部に設けた切り裂き用のノッチ１０がウィング部１１と外装体２０との間に配される。これにより、ノッチ１０で切り裂いた開口面２ｄと底面との距離を短くでき、内容物Ｎを容易に取り出すことができる。
【００４６】
また、押込部２４の折曲部２１を挟む折り線２２及び折り線２３が上下方向の中央部に対して上方及び下方が左右方向の外側に向かって傾斜する。また、折り線２２の上端と折り線２３の上端とがスリット２８ａにより連結され、折り線２２の下端と折り線の下端とがスリット２８ｂにより連結される。これにより、折曲部２１を押圧した際に押し込まれた状態を保持できる押込部２４を容易に実現できる。
【００４７】
尚、本実施形態において、複合容器１の自立時に平パウチから成る包装袋２は左右方向の中央部で底部を持ち上げられるため、底部の左右端の内容物Ｎを取り出しにくい場合がある。このため、包装袋２の前面側及び背面側の接着部４０の下端を異なる高さに形成してもよい。これにより、複合容器１を自立させた際に、包装袋２の底部が前後方向に傾斜する。この時、包装袋２の底部の左右端が引っ張られて持ち上げられ、底部の左右端の内容物Ｎを容易に取り出すことができる。
【００４８】
また、本実施形態において、積層フィルム４の底部と積層フィルム５の底部との間に底面を形成する積層フィルムを熱溶着した底ガゼット型袋により包装袋２を形成してもよい。
【００４９】
＜第２実施形態＞
次に、図７は第２実施形態の複合容器１の包装袋２の正面図を示している。説明の便宜上、前述の図１〜図６に示す第１実施形態と同様の部分には同一の符号を付している。本実施形態は第１実施形態に対して包装袋２の下部の形状が異なっている。その他の部分は第１実施形態と同様である。
【００５０】
平パウチから成る包装袋２の底部の左右端には傾斜部３０が設けられている。傾斜部３０は下方が包装袋２の左右方向の中央に向かって傾斜している。このため、包装袋２は略台形状に形成されている。また、接着部４０の下端が傾斜部３０の上端（図中Ｂ線）よりも上方に配されている。
【００５１】
押込部２４の押し込みにより複合容器１を自立させると、包装袋２は左右方向の中央部で底部を持ち上げられる。この時、傾斜部３０によって包装袋２の底部の左右端の内容物Ｎを容易に取り出すことができる。また、傾斜部３０よりも上方に接着部４０が配されるため、傾斜部３０よりも下方が前後方向に広げられる。これにより、包装袋２の底部の左右端の内容物Ｎをより容易に取り出すことができる。
【００５２】
本実施形態によると、第１実施形態と同様の効果を奏することができる。また、包装袋２が傾斜部３０を有しているので、押込部２４の押し込みにより包装袋２の底面の中央部が上昇しても、底部の左右端の内容物Ｎを容易に取り出すことができる。
【００５３】
また、接着部４０の下端が傾斜部３０の上端（図中Ｂ線）よりも上方に配されている。これにより、喫食時に包装袋２の底部を前後方向に容易に広げることができる。
【産業上の利用可能性】
【００５４】
本発明によると、食品等の内容物を収納する包装袋を筒状の外装体により覆う複合容器に利用することができる。
【符号の説明】
【００５５】
１    複合容器
２    包装袋
２ａ、２ｂ、２ｃ  熱接着部
３、４、５  積層フィルム
３ｂ  シール層
３ｃ  基材層
６ａ、６ｂ  隔離部
７ａ、７ｂ  蒸通孔
８    収納空間
９    傾斜部
１０    ノッチ
１１    ウィング部
１１ａ  連通部
２０    外装体
２０ａ  前面部
２０ｂ、２０ｃ  背面部
２１    折曲部
２２、２３、２５、２６  折り線
２４    押込部
２７    合着部
２８ａ、２８ｂ  スリット
２９    糊代
３０    傾斜部
４０    接着部
４０ａ、４０ｂ、４０ｃ  塗布部
Ｎ    内容物
【図１】
0006593027.tif 000002
【図２】
0006593027.tif 000003
【図３】
0006593027.tif 000004
【図４】
0006593027.tif 000005
【図５】
0006593027.tif 000006
【図６】
0006593027.tif 000007
【図７】
0006593027.tif 000008